(57)【要約】【課題】  安価でありながら操作感が良好な、回転繰り出し、繰込み式目当て機構を有する観察光学装置を提供する。【解決手段】  接眼鏡筒の外面に目当て部を、回転しながら光軸と平行な方向に移動させる繰り出し機構を有する観察光学装置であって、該繰り出し機構は、複数個の別部品であるカムフォロアと接眼鏡筒に設けた突起部と目当て部に設けたカム溝とを有する。【選択図】  図２
2007279133.tif 000002
【特許請求の範囲】
【請求項１】
接眼鏡筒の外面に配置した目当て部を、回転しながら光軸と平行な方向に移動させる繰り出し機構を有する観察光学装置であって、該繰り出し機構は、複数個の別部品であるカムフォロアと接眼鏡筒に設けた突起部と目当て部に設けたカム溝とを有することを特徴とする観察光学装置。
【請求項２】
複数個のカムフォロアは、対向方向２箇所に配設され、接眼鏡筒に設けた突起部はカムフォロアの位相と異なる位置に配設した事を特徴とする請求項１に記載の観察光学装置。
【請求項３】
接眼鏡筒は２方向外形スライド型で成型され、該鏡筒に設けた突起部は、該外形スライド駒のパーティングライン部に形成され１方は外形スライド１側、他方は外形スライド２側で形成される事を特徴とする請求項２に記載の観察光学装置。
【発明の詳細な説明】
【技術分野】
【０００１】
本発明は、観察光学装置、特に回転繰り出し目当て部を有する観察光学装置に関するものである。
【背景技術】
【０００２】
従来より、双眼鏡の接眼部の縁には、接眼レンズよりも観察者側に突出した筒状の目当てが取り付けられている。目当ては、双眼鏡を覗いている観察者の目の周囲の顔面に当接することにより、不要光の遮蔽および接眼レンズと観察者の眼との間隔を保つ。
【０００３】
これにより、双眼鏡の瞳ができる位置を観察者の眼の位置にほぼ一致させ、広い視野で安定した像を観察可能にする。
【０００４】
観察者が眼鏡等を使用している場合に目当てがあると、眼鏡に接触して接眼レンズと観察者の眼との間隔が離れすぎてしまう。
【０００５】
公知の技術として、目当ては、回転繰り出し、回転繰り込み機構を採用するか、もしくは折り返し可能な構造に構成されている。目当てカム筒は、光軸を中心に螺旋を描く螺旋溝を対向する位置に２ヶ所有した構造が提案されている（例えば特許文献１）。
【０００６】
これは螺旋溝に、対向方向に取り付けた２本のカムピンの頭が挿入されている。これにより、目当てカム筒を観察者が回転させると、螺旋溝が２本のカムピンによりガイドされながら回動する。よって、回転角に応じた量だけ目当てカム筒は光軸方向に移動する。
【０００７】
したがって、接眼ラバーで覆われた目当てカム筒を光軸方向に繰り出しおよび繰り込みすることができ、繰り出し式目当てを実現することができる。
【特許文献１】特開２００１−１９４５９３号公報
【発明の開示】
【発明が解決しようとする課題】
【０００８】
ここで、従来の繰り出し、繰込み機構タイプの目当ての一例としてカムフォロアを対向方向に２ヶ所配設した場合は接眼鏡筒を成型加工する金型が安価な２方向割で可能である。しかしながら、上記の目当て部では、目当てカムを回転、移動時、対向に配設したカムフォロアに対して９０°位相を回転した方向で、目当て部の倒れが発生し易かった。
【０００９】
また別の繰り出し、繰込み機構タイプの目当てとして、カムフォロアを等分３ヶ所に、配設した構造では、回転時のガタが少なく目当て部を回動、移動可能であるが、接眼鏡筒８を成型加工する金型が複雑な、３方向割となりコストアップの要因となる。
【００１０】
一方簡単な為一般的に使用されている、折り返し式目当ゴム機構では眼鏡を必要とする、観察者は像を観察する際は、目当てゴムを折り返して接眼レンズと眼球を所定の距離に設定する事で、良好な像を観察できる様になる。しかし、個人の顔形状の差により最適なアイポイントに合わせられない場合もあった。また、不要光が眼球に入射しやすく観察時に不要光影響を受ける事があるという問題点があった。
【００１１】
そこで、本発明の目的は、操作感が良好で裸眼又は、眼鏡を必要とする観察者のいずれに対しても、観察像が良好に見え、操作感に優れ、更にコストを安価にすることのできる観察光学装置を提供することである。
【課題を解決するための手段】
【００１２】
上記目的を達成するために、本発明は、接眼鏡筒の外面に目当て部を、回転しながら光軸と平行な方向に移動させる繰り出し機構を有する観察光学装置であって、該機構は、複数個の別部品であるカムフォロアと接眼鏡筒に設けた突起部と目当て部に設けたカム溝とを有する構成としている。ここで、接眼鏡筒に設けた突起部はカムフォロアに対しほぼ９０°位相を回転した位置に配設する。また、接眼鏡筒は２方向外形スライド型で成型され、該鏡筒に設けた突起部は、該外形スライド駒のパーティングライン部に形成され１方は外形スライド１側、他方は外形スライド２側で形成する。
【発明の効果】
【００１３】
以上、本発明によれば、回転繰り出し、繰込み式、目当て部の構造を構成する部品点数削減し金型等の設備額を削減した上で、高品位でガタの少ない機構が実現される。
【００１４】
また、同様の構成を採用することで、撮影装置のファインダー部等の観察系接眼レンズを有する光学装置全般にて上記効果を適用できる。
【発明を実施するための最良の形態】
【００１５】
以下に、本発明の実施の形態を添付の図面に基づいて詳細に説明する。
【実施例１】
【００１６】
図１は双眼鏡を上面からみた図である。図２は双眼鏡の部分断面図で接眼ユニットを示す垂直断面図Ａ−Ａである。図３は接眼鏡筒３を対物側から見た正面図である。図４は接眼鏡筒３を側面から見た側面図である。図５は接眼鏡筒３に目当て筒８を組付けカムフォロア９ａ、カムフォロア９ｂを組付けた接眼鏡筒ユニットである。図６は図５の接眼ユニットの断面図でカムフォロア９ｂの組付け位置を詳細に示す垂直断面である。図７は図５の垂直断面図Ｃ−Ｃである。図８は目当て筒Ｌ８の外面展開図、図９は接眼鏡筒ユニットの組立て手順を示す斜視図である。
【００１７】
以下に、各図面を用いて詳細に説明する。
【００１８】
図１において、１は双眼鏡本体を示している。双眼鏡本体１内には、左右一対の対物レンズ１００Ｒ、１００Ｌをそれぞれ保持した一対の対物レンズ保持鏡筒１０１Ｒ、１０１Ｌが所定の間隔に保持されている。５０はフォーカスダイヤルであり、フォーカスダイヤル５０を回転させることにより、対物レンズ保持鏡筒１０１Ｒ、１０１Ｌが光軸方向に移動してピント調整が可能となっている。２Ｒ、２Ｌは左右一対の接眼ホルダであり、各接眼ホルダ２Ｒ、２Ｌにはそれぞれ接眼鏡筒３Ｒ、３Ｌおよび目当てラバー４Ｒ、４Ｌが設けられている。
【００１９】
次に図２を用いて接眼ホルダ２Ｒ、２Ｌについて説明する。なお、図面では接眼ホルダ２Ｌのみを図示しているが、接眼ホルダ２Ｒも同一の構造でありその説明を省略する。
【００２０】
接眼ホルダ２は、黒色の樹脂材料を成型加工した部品で内部には正立プリズム（図示省略）の保持と接眼鏡筒３を保持する雌ネジヘリコイド部が設けてある。
【００２１】
本実施例においては、接眼ホルダ２の材料は黒色の樹脂材料を選択したが、これに限定するものではなく、アルミダイカストやマグネシュームなどの金属材料を採用してもよい。また、材料色についてもナチュラル色の樹脂材料で反射防止の表面処理を行ってもよい。
【００２２】
接眼鏡筒３は、黒色の樹脂材料を成型加工した部品で内部には、複数枚の接眼レンズ（図示省略）を所定の間隔に保持および固定する為の形状が精度良く加工されている。接眼鏡筒３の外形の先端部（対物側）には、接眼ホルダ２にネジ込むための雄ヘリコイドネジ部が所定のピッチで加工されている。
【００２３】
接眼鏡筒３の観察者側には、目当て筒８を保持、回動をガイドする為のカムフォロア９ａ、９ｂをねじ込む為の下穴が、上下に２ヶ所、所定の寸法で加工されている。接眼鏡筒３の側面には、目当て筒８を保持、回動をガイドする為の突起部１０が設けてある。突起部１０の高さ寸法は、目当て筒８の肉厚に対して１／２〜１／３の寸法で精度良く加工してある。接眼鏡筒３を成型加工する金型は、固定型と上下にスライドする可動型の型構造で、型割は図３、図４、図７のパーティングライン（以下、ＰＬと略す）１１で上下に可動する構成を用いている。接眼鏡筒３の側面に設けた突起部１０は、上下スライド型により形成される。
【００２４】
目当てラバー４は、黒色のシリコンゴムを加工した部品で、目当てラバー４の観察者側には、開口部が設けられ、目当てラバー４は目当て筒８に覆い被せられて装着されている。なお、目当てラバー４の外れ防止として、両面テープや接着剤等を用いて目当て筒８に固定してもよい。目当てラバー４は、目当てラバー４を観察者の眼の周囲の顔面に当接することにより、不要光の遮蔽および接眼レンズと観察者の眼との間隔を保つための部品である。
【００２５】
接眼鏡筒ユニットについて図５から図９を用いて説明する。接眼鏡筒ユニットは、接眼鏡筒３と、目当て筒８とで構成されている。接眼鏡筒３には、目当て筒８を保持し、回転により光軸方向の移動をガイドする上方に組付けたカムフォロア９ａと、その対向方向に組付けたカムフォロア９ｂとを有している。目当て筒８は、金属材料を切削加工した部品、または樹脂材料を成型加工した部品である。目当て筒８の外周には図６、図８に示すように、カムフォロア９ａに対応するカム溝２０と、カムフォロア９ｂに対応するカム溝２２と、突起部１０に対応するカム溝２１が精度良く加工されて設けられている。
【００２６】
次に図９を用いて、接眼鏡筒ユニットを構成する接眼鏡筒３、目当て筒８およびカムフォロア９ａ、９ｂの組立て手順について説明する。
【００２７】
図９において、紙面、左斜め下が対物側で、紙面、右斜め上側が観察者（眼球）側となる。接眼鏡筒３の最大外径部と目当て筒８の内径部とは、それぞれが摺動面となる寸法に加工されている。
【００２８】
まず、接眼鏡筒ユニットを組立てる際は、接眼鏡筒３の観察者側から目当て筒８を挿入する。このとき、接眼鏡筒３に設けた突起部１０と、目当て筒８に設けた切り欠き部２５の位相を合わせ、目当て筒８を挿入する。
【００２９】
次に、接眼鏡筒３に対して目当て筒８をＣＣＷ（反時計回り）方向に回転させ、外側から見て、目当て筒８に設けたカム溝２０、カム溝２２と接眼鏡筒８に設けたカムフォロア９ａ、９ｂを取り付けるための取り付け穴２６a、２６ｂ（図９参照）の位相を合せる。カムフォロア９ａをカム溝２０を介して取り付け穴２６aに組付け、カムフォロア９ｂをカム溝２２を介して取り付け穴２６ｂに組付ける。これにより、目当て筒８が接眼鏡筒３に組付けられる。カムフォロア９aとカム溝２０、カムフォロア９bとカム溝２２は目当て筒８の回動時のガイドと目当て筒８の抜け防止および回動角を規制するストッパーとなる（図８参照）。また、突起部１０とカム溝２１が対となり、３ヶ所目の回動時のガタ取りとなる。
【００３０】
観察者が双眼鏡をカバンなどに収納する際は、目当てラバー４（接眼鏡筒３）をＣＷ（時計回り）方向に回動する事により、目当てラバー４は、格納状態となる。反対に目当てラバー４をＣＣＷ（反時計回り）方向に回動する事で像を観察する際の不要光の遮蔽と、接眼レンズと観察者の眼との間隔を正しく保つ事ができる様になる。
【００３１】
次に、本発明の他の実施の形態の双眼鏡について、断面図および展開図を用いて、以下に説明する。なお、上述の第１の実施の形態と同様の構成についてはその説明および図示を省略し、異なる点についてのみ、以下に説明するものとする。詳細には、接眼鏡筒３に設けた突起部１０の個数と位相関係、目当て筒８に設けたカム溝２０、カム溝２１、カム溝２２の個数と位相関係、カムフォロア９ａ、９ｂの使用個数と位相関係である。
【実施例２】
【００３２】
図１０は、接眼鏡筒３に、目当て筒８とカムフォロア９ａを組付けたときの垂直断面図である。図１１は、目当て筒８の展開図である。
【００３３】
接眼鏡筒３には、対向方向に２ヶ所の突起部１０が成型加工されている。また、突起部１０に対して９０°位相を回転させた位置にカムフォロア９aを挿入する穴が精度良く加工されている。接眼鏡筒３を成型加工する金型は固定型と２方向にスライドする可動型で成型加工する。ＰＬ１１を境として、接眼鏡筒３に設けた突起部１０とカムフォロア取り付け穴が同時に成型加工される。
【００３４】
本実施例では、１箇所のカムフォロア９ａとカム溝２０、２箇所の突起部１０とカム溝２１が係合する構成である。
【００３５】
この構成により、部品点数および、組立て工数削減となる。
【実施例３】
【００３６】
図１２は、接眼鏡筒３に、目当て筒８とカムフォロア９ａを組付けたときの垂直断面図である。図１３は、目当て筒８の展開図である。
【００３７】
接眼鏡筒３には、対向方向に２ヶ所と９０°位相を回転させた位置の合計３ヶ所に突起部１０が成型加工されている。また、突起部１０に１８０°位相を回転させた位置にカムフォロア９aを挿入する穴が精度良く加工されている。接眼鏡筒３を成型加工する金型は固定型と２方向にスライドする可動型で成型加工する。ＰＬ１１を境として、接眼鏡筒３に設けた突起部１０とカムフォロア取り付け穴が同時に成型加工される。
【００３８】
本実施例では、１箇所のカムフォロア９ａとカム溝２０、３箇所の突起部１０とカム溝２１が係合する構成である。
【００３９】
この構成により、部品点数および、組立て工数削減が可能で４ヶ所のガタ取り部を設ける事ができる。
【実施例４】
【００４０】
図１４は、接眼鏡筒３に、目当て筒８とカムフォロー９ａ、９ｂを組付けたときの垂直断面図である。図１５は、目当て筒８の展開図である。
【００４１】
接眼鏡筒３には、対向方向に突起部１０が成型加工されている。また、突起部１０に９０°位相を回転させた位置にカムフォロア９ａ、９ｂを挿入する穴が対向方向に２ヶ、精度良く加工されている。接眼鏡筒３を成型加工する金型は固定型と２方向にスライドする可動型で成型加工する。ＰＬ１１を境として、接眼鏡筒３に設けた突起部１０とカムフォロア取り付け穴が同時に成型加工される。
【００４２】
本実施例では、カムフォロア９ａとカム溝２０、カムフォロア９ｂとカム溝２２、２箇所の突起部１０とカム溝２１が係合する構成である。
【００４３】
この構成により、目当て筒８の回動および、前後方向の作動４ヶ所のガイド部を構成することができ、ガタの少ない目当て構造を構成できる。
【００４４】
なお、上記の各実施例において、双眼鏡を用いて説明を行ったが双眼鏡に限定するものではなく、図１６に示すような、単眼視用のフィールドスコープ６０や、単眼視もしくは双眼視の天体望遠鏡や微細な観察物を観察するときに用いる、単眼視もしくは双眼視の顕微鏡等の観察光学装置に搭載可能である。
【００４５】
更に、観察光学装置に限定するものではなく、光学式ファインダー、電子ビューファインダー等を、搭載する電子スチルカメラやビデオカメラ等の電子映像撮影装置の目当て部に搭載してもよい。
【図面の簡単な説明】
【００４６】
【図１】本発明の実施例１である双眼鏡の上面図。
【図２】実施例１の接眼部の垂直断面図。
【図３】実施例１の接眼鏡筒の正面図。
【図４】実施例１の接眼鏡筒の側面図。
【図５】実施例１の接眼鏡筒ユニットの側面図。
【図６】実施例１の接眼鏡筒ユニットの垂直断面図。
【図７】図５の接眼鏡筒ユニットの断面図。
【図８】実施例１の目当て筒の展開図。
【図９】実施例１の接眼鏡筒ユニットの分解斜視図。
【図１０】実施例２の接眼鏡筒ユニットの断面図。
【図１１】実施例２の目当て筒の展開図。
【図１２】実施例３の接眼鏡筒ユニットの断面図。
【図１３】実施例３の目当て筒の展開図。
【図１４】実施例４の接眼鏡筒ユニットの断面図。
【図１５】実施例４の目当て筒の展開図。
【図１６】本発明の実施例を適用した観察光学装置を示す図。
【符号の説明】
【００４７】
１  双眼鏡本体
２Ｒ、２Ｌ  接眼鏡筒ホルダ
３Ｒ、３Ｌ  接眼鏡筒
８Ｒ、８Ｌ  目当て筒
９a、９ｂ、９ｃ  カムフォロア
１０  突起部
１１  パーティングライン
２０、２１、２２  カム溝
【図１】
2007279133.tif 000003
【図２】
2007279133.tif 000004
【図３】
2007279133.tif 000005
【図４】
2007279133.tif 000006
【図５】
2007279133.tif 000007
【図６】
2007279133.tif 000008
【図７】
2007279133.tif 000009
【図８】
2007279133.tif 000010
【図９】
2007279133.tif 000011
【図１０】
2007279133.tif 000012
【図１１】
2007279133.tif 000013
【図１２】
2007279133.tif 000014
【図１３】
2007279133.tif 000015
【図１４】
2007279133.tif 000016
【図１５】
2007279133.tif 000017
【図１６】
2007279133.tif 000018